【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
表示パネルと、複数の段階の輝度に切り換え可能なバックライトと、を備える画像表示装置であって、
前記画像表示装置の所定の表示特性の目標値を設定する設定手段と、
前記目標値に基づき、前記バックライトの輝度の切り換えの段階数を決定する決定手段と、
前記決定手段により決定された段階数に応じた各段階の輝度で前記バックライトを発光させるとともに、前記画像表示装置に所定の色票を表示させて測色し、測色値に基づいて、前記バックライトの各段階の輝度でキャリブレーションを行うキャリブレーション手段と、
を備える画像表示装置。
【請求項２】
前記決定手段により決定された段階数に応じた各段階の輝度と、各段階の輝度について行われた前記キャリブレーション手段によるキャリブレーション結果と、を対応づけて記憶する記憶手段を備える請求項１に記載の画像表示装置。
【請求項３】
入力される画像信号に応じて、前記決定手段により決定した段階数の輝度のうち一の段階の輝度を選択し、選択した段階の輝度に前記バックライトの輝度を切り換える輝度制御手段と、
前記輝度制御手段により選択された段階の輝度に対応づけられたキャリブレーション結果に基づいて前記バックライト及び前記表示パネルを駆動する駆動手段と、
を備える請求項２に記載の画像表示装置。
【請求項４】
前記バックライトは、独立して輝度を切り換え可能な複数の光源ブロックに分割され、前記輝度制御手段は、各光源ブロックに対応する領域の画像信号に応じて、光源ブロック毎に前記バックライトの輝度を切り換え、
前記駆動手段は、各光源ブロックの輝度に対応づけられたキャリブレーション結果に基づいて各光源ブロック及び各光源ブロックに対応する領域の表示パネルを駆動する請求項３に記載の画像表示装置。
【請求項５】
前記バックライトの輝度の切り換えの段階数と、その輝度切り換え条件のもとで前記バ
ックライトの輝度を切り換えた場合に前記画像表示装置に表示可能なコントラスト比の範囲と、の対応関係を記憶する第２の記憶手段を備え、
前記設定手段は、少なくともコントラスト比の目標値、又は、コントラスト比の目標値を算出可能な一又は複数の所定の表示特性の目標値を設定し、
前記決定手段は、前記第２の記憶手段に記憶された対応関係に基づき、表示可能なコントラスト比の範囲内に前記設定されたコントラスト比の目標値を含むような輝度切り換え条件を判定し、判定した輝度切り換え条件に基づき、前記バックライトの輝度の切り換えの段階数を決定する請求項１〜４のいずれか１項に記載の画像表示装置。
【請求項６】
所定の輝度切り換え条件のもとで前記バックライトの輝度を切り換えた場合に前記画像表示装置に実際に表示されたコントラスト比の測定値を取得する取得手段を備え、
前記決定手段は、前記第２の記憶手段に記憶された対応関係において、前記取得手段によりコントラスト比の測定値が取得された輝度切り換え条件については、当該取得されたコントラスト比の測定値の範囲内に前記設定されたコントラスト比の目標値が含まれるか否かを判定する請求項５に記載の画像表示装置。
【請求項７】
表示パネルと、複数の段階の輝度に切り換え可能なバックライトと、を備える画像表示装置のキャリブレーション方法であって、
前記画像表示装置の所定の表示特性の目標値を設定する設定ステップと、
前記目標値に基づき、前記バックライトの輝度の切り換えの段階数を決定する決定ステップと、
前記決定ステップにおいて決定された段階数に応じた各段階の輝度で前記バックライトを発光させるとともに、所定の色票を前記画像表示装置に表示させて測色し、測色値に基づいて、前記バックライトの各段階の輝度でキャリブレーションを行うキャリブレーションステップと、を有するキャリブレーション方法。
【請求項８】
前記決定ステップにおいて決定された段階数に応じた各段階の輝度と、各段階の輝度について行われた前記キャリブレーションステップにおけるキャリブレーション結果と、を対応づけて記憶手段に記憶するステップを有する請求項７に記載の画像表示装置のキャリブレーション方法。
【請求項９】
入力される画像信号に応じて、前記決定ステップにおいて決定した段階数の輝度のうち一の段階の輝度を選択し、選択した段階の輝度に前記バックライトの輝度を切り換える輝度制御ステップと、
前記輝度制御ステップにおいて選択された段階の輝度に対応づけられたキャリブレーション結果に基づいて前記バックライト及び前記表示パネルを駆動する駆動ステップと、
を有する請求項８に記載の画像表示装置のキャリブレーション方法。
【請求項１０】
前記バックライトは、独立して輝度を切り換え可能な複数の光源ブロックに分割され、前記輝度制御ステップでは、各光源ブロックに対応する領域の画像信号に応じて、光源ブロック毎に前記バックライトの輝度を切り換え、
前記駆動ステップでは、各光源ブロックの輝度に対応づけられたキャリブレーション結果に基づいて各光源ブロック及び各光源ブロックに対応する領域の表示パネルを駆動する請求項９に記載の画像表示装置のキャリブレーション方法。
【請求項１１】
前記バックライトの輝度の切り換えの段階数と、その輝度切り換え条件のもとで前記バックライトの輝度を切り換えた場合に前記画像表示装置に表示可能なコントラスト比の範囲と、の対応関係を第２の記憶手段に記憶するステップを有し、
前記設定ステップでは、少なくともコントラスト比の目標値、又は、コントラスト比の目標値を算出可能な一又は複数の所定の表示特性の目標値を設定し、
前記決定ステップでは、前記第２の記憶手段に記憶された対応関係に基づき、表示可能なコントラスト比の範囲内に前記設定されたコントラスト比の目標値を含むような輝度切り換え条件を判定し、判定した輝度切り換え条件に基づき、前記バックライトの輝度の切り換えの段階数を決定する請求項７〜１０のいずれか１項に記載の画像表示装置のキャリブレーション方法。
【請求項１２】
所定の輝度切り換え条件のもとで前記バックライトの輝度を切り換えた場合に前記画像表示装置に実際に表示されたコントラスト比の測定値を取得する取得ステップを有し、
前記決定ステップでは、前記第２の記憶手段に記憶された対応関係において、前記取得ステップにおいてコントラスト比の測定値が取得された輝度切り換え条件については、当該取得されたコントラスト比の測定値の範囲内に前記設定されたコントラスト比の目標値が含まれるか否かを判定する請求項１１に記載の画像表示装置のキャリブレーション方法。
【請求項１３】
請求項７から請求項１２までのいずれか１項に記載のキャリブレーション方法の各ステップをコンピュータに実行させるためのプログラムが格納されたコンピュータ読み取り可能な記録媒体。
【請求項１４】
表示パネルと、複数の段階の輝度に切り換え可能なバックライトと、を備える画像表示装置と、前記画像表示装置に所定の色票を表示させて測色し、測色値に基づいて前記画像表示装置のキャリブレーションを行うキャリブレーション装置と、からなる画像表示システムであって、
前記キャリブレーション装置は、
前記画像表示装置の所定の表示特性の目標値を設定する設定手段と、
前記目標値を前記画像表示装置へ送信する目標値送信手段と、
前記目標値に基づき決定される前記バックライトの輝度の切り換えの段階数の情報を前記画像表示装置から取得する輝度段階取得手段と、
前記輝度段階取得手段により取得した段階数に応じた各段階の輝度で前記バックライトを発光させるとともに、前記画像表示装置に所定の色票を表示させて測色し、測色値に基づいて、前記バックライトの各段階の輝度でキャリブレーションを行うキャリブレーション手段と、
を備え、
前記画像表示装置は、
前記キャリブレーション装置から前記所定の表示特性の目標値を取得する目標値取得手段と、
前記目標値に基づき、前記バックライトの輝度の切り換えの段階数を決定する決定手段と、
前記決定手段により決定した前記段階数の情報を前記キャリブレーション装置へ送信する輝度段階送信手段と、
を備える画像表示システム。
【請求項１５】
前記画像表示装置は、
前記決定手段により決定した段階数に応じた各段階の輝度について行われた前記キャリブレーション装置によるキャリブレーション結果を前記キャリブレーション装置から取得するキャリブレーション結果取得手段と、
前記決定手段により決定した段階数に応じた各段階の輝度と、前記キャリブレーション結果取得手段により取得した各段階の輝度についてのキャリブレーション結果と、を対応づけて記憶する記憶手段を備える請求項１４に記載の画像表示システム。
【請求項１６】
前記画像表示装置は、
入力される画像信号に応じて、前記決定手段により決定した段階数の輝度のうち一の段階の輝度を選択し、選択した段階の輝度に前記バックライトの輝度を切り換える輝度制御手段と、
前記輝度制御手段により選択された段階の輝度に対応づけられたキャリブレーション結果に基づいて前記バックライト及び前記表示パネルを駆動する駆動手段と、
を備える請求項１５に記載の画像表示システム。
【請求項１７】
前記バックライトは、独立して輝度を切り換え可能な複数の光源ブロックに分割され、前記輝度制御手段は、各光源ブロックに対応する領域の画像信号に応じて、光源ブロック毎に前記バックライトの輝度を切り換え、
前記駆動手段は、各光源ブロックの輝度に対応づけられたキャリブレーション結果に基づいて各光源ブロック及び各光源ブロックに対応する領域の表示パネルを駆動する請求項１６に記載の画像表示システム。
【請求項１８】
前記画像表示装置は、
前記バックライトの輝度の切り換えの段階数と、その輝度切り換え条件のもとで前記バックライトの輝度を切り換えた場合に前記画像表示装置に表示可能なコントラスト比の範囲と、の対応関係を記憶する第２の記憶手段を備え、
前記設定手段は、少なくともコントラスト比の目標値、又は、コントラスト比の目標値を算出可能な一又は複数の所定の表示特性の目標値を設定し、
前記目標値送信手段は、前記コントラスト比の目標値を前記画像表示装置へ送信し、
前記目標値取得手段は、前記コントラスト比の目標値を前記キャリブレーション装置から取得し、
前記決定手段は、前記第２の記憶手段に記憶された対応関係に基づき、表示可能なコントラスト比の範囲内に前記目標値取得手段が取得したコントラスト比の目標値を含むような輝度切り換え条件を判定し、判定した輝度切り換え条件に基づき、前記バックライトの輝度の切り換えの段階数を決定する請求項１４〜１７のいずれか１項に記載の画像表示システム。
【請求項１９】
前記キャリブレーション装置は、
所定の輝度切り換え条件のもとで前記バックライトの輝度を切り換えた場合に前記画像表示装置に実際に表示されたコントラスト比の測定値を取得する取得手段と、
前記所定の輝度切り換え条件及び前記取得手段により取得したコントラスト比の測定値の情報を前記画像表示装置へ送信する実コントラスト比送信手段と、
を備え、
前記画像表示装置は、
前記キャリブレーション装置から前記所定の輝度切り換え条件及びコントラスト比の測定値の情報を取得する実コントラスト比取得手段を備え、
前記決定手段は、前記第２の記憶手段に記憶された対応関係において、前記取得手段によりコントラスト比の測定値が取得された輝度切り換え条件については、当該取得されたコントラスト比の測定値の範囲内に前記設定されたコントラスト比の目標値が含まれるか否かを判定する請求項１８に記載の画像表示システム。
【手続補正２】
【補正対象書類名】明細書
【補正対象項目名】００１０
【補正方法】変更
【補正の内容】
【００１０】
本発明は、表示パネルと、複数の段階の輝度に切り換え可能なバックライトと、を備える画像表示装置であって、
前記画像表示装置の所定の表示特性の目標値を設定する設定手段と、
前記目標値に基づき、前記バックライトの輝度の切り換えの段階数を決定する決定手段と、
前記決定手段により決定された段階数に応じた各段階の輝度で前記バックライトを発光させるとともに、前記画像表示装置に所定の色票を表示させて測色し、測色値に基づいて、前記バックライトの各段階の輝度でキャリブレーションを行うキャリブレーション手段と、
を備える画像表示装置。
である。
【手続補正３】
【補正対象書類名】明細書
【補正対象項目名】００１１
【補正方法】変更
【補正の内容】
【００１１】
本発明は、表示パネルと、複数の段階の輝度に切り換え可能なバックライトと、を備える画像表示装置のキャリブレーション方法であって、
前記画像表示装置の所定の表示特性の目標値を設定する設定ステップと、
前記目標値に基づき、前記バックライトの輝度の切り換えの段階数を決定する決定ステップと、
前記決定ステップにおいて決定された段階数に応じた各段階の輝度で前記バックライトを発光させるとともに、所定の色票を前記画像表示装置に表示させて測色し、測色値に基づいて、前記バックライトの各段階の輝度でキャリブレーションを行うキャリブレーションステップと、を有する画像表示装置のキャリブレーション方法である。
【手続補正４】
【補正対象書類名】明細書
【補正対象項目名】００１２
【補正方法】変更
【補正の内容】
【００１２】
本発明は、表示パネルと、複数の段階の輝度に切り換え可能なバックライトと、を備える画像表示装置と、前記画像表示装置に所定の色票を表示させて測色し、測色値に基づいて前記画像表示装置のキャリブレーションを行うキャリブレーション装置と、からなる画像表示システムであって、
前記キャリブレーション装置は、
前記画像表示装置の所定の表示特性の目標値を設定する設定手段と、
前記目標値を前記画像表示装置へ送信する目標値送信手段と、
前記目標値に基づき決定される前記バックライトの輝度の切り換えの段階数の情報を前記画像表示装置から取得する輝度段階取得手段と、
前記輝度段階取得手段により取得した段階数に応じた各段階の輝度で前記バックライトを発光させるとともに、前記画像表示装置に所定の色票を表示させて測色し、測色値に基づいて、前記バックライトの各段階の輝度でキャリブレーションを行うキャリブレーション手段と、
を備え、
前記画像表示装置は、
前記キャリブレーション装置から前記所定の表示特性の目標値を取得する目標値取得手段と、
前記目標値に基づき、前記バックライトの輝度の切り換えの段階数を決定する決定手段と、
前記決定手段により決定した前記段階数の情報を前記キャリブレーション装置へ送信す
る輝度段階送信手段と、
を備える画像表示システムである。